(57)【要約】    【課題】定着装置通過後の用紙に生じたカールを、用紙の種類に応じて適切に除去することのできるデカール装置を提供することを目的とする。    【解決手段】ギア部７４４ｂが矢印Ｄ方向に回転させられている状態で、クラッチ部７４４ａがオンされると、前環状体用ギア７４２、クラッチローラ軸７４１および後環状体用ギア７４３が一体となって矢印Ｄの方向に回転させられる。そして、一対の環状体７３が矢印Ｈの方向に所定角度回転させられた状態で、クラッチ部７４４ａがオフされると、軟質ローラ７１が環状体７３の第１内周面７３１〜第４内周面７３４のいずれかに押圧されることで、硬ローラ部７２２と係合する軟ローラ部７１２の部分が種々に弾性変形し、軟ローラ部７１２が所定のニップ圧を保って硬ローラ部７２２と当接する。よって、用紙に加えられるニップ圧を種々に変化させることができる。【選択図】            図２
2006036489.tif 000002
【特許請求の範囲】
【請求項１】
定着装置の後段に設けられ、定着装置を通過することによって用紙に生じるカールを除去するためのデカール装置であって、
硬質の周面を有する硬質ローラと、
上記硬質ローラに圧接され、周面が弾性変形して上記硬質ローラとの間に所定のニップ圧を形成する軟質ローラと、
上記硬質ローラと上記軟質ローラとの間の上記ニップ圧を切り換えるニップ圧切り換え手段と、を含むことを特徴とするデカール装置。
【請求項２】
上記ニップ圧切り換え手段は、
上記硬質ローラおよび上記軟質ローラの両端に嵌合され、両ローラ軸を、軸方向と交差方向に囲む環状体であって、中心からの距離が角度位置によって変化する内周を有し、内周の中心は上記硬質ローラの軸心に位置し、上記軟質ローラの軸が内周に当接している環状体と、
上記環状体を、内周の中心を軸として回動させる回動手段と、を含むことを特徴とする請求項１に記載のデカール装置。
【請求項３】
上記環状体は、中心からの距離が角度位置によって変化しない円周状の外周を有し、
上記回動手段は、上記外周と係合して、外周を回すことによって環状体を回動させる回動伝達部材を含むことを特徴とする請求項２に記載のデカール装置。
【請求項４】
使用する用紙の種類を入力することのできる操作部をさらに含み、
上記回動手段は、上記操作部に入力された用紙の種類に応じて、上記環状体を予め定められた位置に回転することを特徴とする請求項２または３に記載のデカール装置。
【発明の詳細な説明】
【技術分野】
【０００１】
この発明は、デカール装置に関し、特に、定着装置を通過することによって用紙に生じるカールを除去するためのデカール装置に関する。
【背景技術】
【０００２】
従来から、画像形成装置には、用紙に生じたカールを除去するためのデカール装置が備えられているものがある。画像形成装置内において用紙にカールが生じると、排出ローラなどによって用紙を送り出すことができず、紙詰まりの原因となることがある。そのため、用紙に生じたカールを除去するためのデカール装置が必要となる。このような、用紙に生じたカールを除去するためのデカール装置の一例が特許文献１および特許文献２に記載されている。
【特許文献１】特開０５−９２８５８号公報
【特許文献２】特開０６−９８０７８号公報
【発明の開示】
【発明が解決しようとする課題】
【０００３】
上記従来技術の装置は、画像を形成するための用紙としてロール状の記録紙を用いており、ロール状とされて収容されているために記録紙に生じるカールを、記録紙を搬送する際に記録紙の残量に応じて除去するものである。
ところで、複写機などでは、通常、ロール紙ではなく、予め定型サイズに切断されたいわゆるカット紙が用いられるので、用紙は当初はカールしていないが、用紙が定着装置を通過する際にカールすることがある。
【０００４】
すなわち、複写機においては、転写装置により用紙にトナー像を転写した後、定着装置によりトナー像を定着させることで用紙に画像が形成される。定着装置は、一般的に、熱ローラと圧ローラとで構成され、トナーを加熱および加圧することで、トナーを融解して用紙に定着させる。
このように、定着装置では、用紙を加熱および加圧するため、用紙がカールしやすい。そのため、複写機などでは、定着装置の後段にデカール装置が必要になる場合がある。
【０００５】
ところで、デカール装置の構成としては、互いに当接する一対のローラを備え、カールした用紙をそのローラ間を通過させることにより（カールした用紙にニップ圧を加えることにより）、用紙のカールを除去するものが考えられる。このような構成では、ニップ圧は、用紙のカールの度合いに応じたものでなければならない。すなわち、カールの度合いに応じたニップ圧を加えなければ、カールが十分に除去されなかったり、必要以上にニップ圧が加えられるために逆方向にカールが生じたりする。一方、定着装置を通過した用紙のカールの度合いは、用紙の種類によって異なる。たとえば、定着装置通過後のトレーシングペーパーやわら半紙は、定着装置通過後の普通紙に比べてカールの度合いが大きい。このため、定着装置の後段に設けられるデカール装置は、用紙の種類に応じてカールを除去する度合いが変えられるものでなければならない。
【０００６】
この発明は、かかる技術背景のもとになされたもので、定着装置通過後の用紙に生じたカールを、用紙の種類に応じて適切に除去することのできるデカール装置を提供することを目的とする。
【課題を解決するための手段】
【０００７】
上記目的を達成するための請求項１に記載の発明は、定着装置（６）の後段に設けられ、定着装置を通過することによって用紙に生じるカールを除去するためのデカール装置（７）であって、硬質の周面（７２２）を有する硬質ローラ（７２）と、上記硬質ローラに圧接され、周面（７１２）が弾性変形して上記硬質ローラとの間に所定のニップ圧を形成する軟質ローラ（７１）と、上記硬質ローラと上記軟質ローラとの間の上記ニップ圧を切り換えるニップ圧切り換え手段（７３，７４）と、を含むことを特徴とするデカール装置である。
【０００８】
なお、括弧内の英数字は、後述の実施形態における対応構成要素などを表す。以下、この項において同じ。
この構成によれば、硬質ローラと軟質ローラとの間のニップ圧がニップ圧切り換え手段によって切り換えられる。すなわち、定着装置を通過した用紙に生じたカールは、硬質ローラと軟質ローラの間を通過させられ、その時に用紙に加えられるニップ圧により除去される。そして、そのニップ圧は切り換え可能である。これにより、定着装置を通過させることにより生じる用紙のカールが用紙の種類によって異なっても、用紙の種類に応じてニップ圧切り換え手段によりニップ圧を切り換えれば、カールの度合いに応じて用紙にニップ圧を加えることができる。よって、用紙の種類に応じて、適切に用紙に生じたカールを除去することができる。
【０００９】
請求項２に記載の発明は、上記ニップ圧切り換え手段（７３，７４）は、上記硬質ローラ（７２）および上記軟質ローラ（７１）の両端に嵌合され、両ローラ軸（７１１，７２１）を、軸方向と交差方向に囲む環状体（７３）であって、中心からの距離が角度位置によって変化する内周（７３１，７３２，７３３，７３４）を有し、内周の中心は上記硬質ローラの軸心に位置し、上記軟質ローラの軸が内周に当接している環状体と、上記環状体を、内周の中心を軸として回動させる回動手段（７４）と、を含むことを特徴とする請求項１に記載のデカール装置（７）である。
【００１０】
この構成によれば、環状体の内周は、角度位置によって中心からの長さが異なり、軟質ローラの軸は環状体の内周に当接している。これにより、回動手段によって環状体を回動させ、所定の角度位置で環状体を止めれば、軟質ローラの軸と硬質ローラの軸との軸間距離を変化させられる。よって、軟質ローラと硬質ローラとの間のニップ圧を切り替えられる。すなわち、回動させる角度によって軟質ローラに与える圧力を変化させるように環状体の内周を形成すれば、環状体を所定角度回転させることで用紙に加えるニップ圧を容易に変化させることができる。
【００１１】
請求項３に記載の発明は、上記環状体（７３）は、中心からの距離が角度位置によって変化しない円周状の外周（７３５）を有し、上記回動手段（７４）は、上記外周と係合して、外周を回すことによって環状体を回動させる回動伝達部材（７４２，７４３）を含むことを特徴とする請求項２に記載のデカール装置（７）である。
この構成によれば、環状体の外周は円周状とされているため、その外周と係合する回動伝達部材を回動させることで、環状体を回動させることができる。よって、容易に環状体を回動させることができる。
【００１２】
請求項４に記載の発明は、使用する用紙の種類を入力することのできる操作部をさらに含み、上記回動手段（７４）は、上記操作部に入力された用紙の種類に応じて、上記環状体（７３）を予め定められた位置に回転することを特徴とする請求項２または３に記載のデカール装置（７）である。
この構成によれば、環状体は、選択された用紙の種類に応じて予め定められた位置に自動的に回転するので、用紙の種類に応じたカールの除去をより適切に行える。
【発明を実施するための最良の形態】
【００１３】
以下では、この発明の実施の形態を、添付図面を参照して詳細に説明する。
図１は、この発明の一実施形態にかかるデカール装置７が備えられた複写機１の構成を概略的に示す断面図である。複写機１は、その外形が略箱型のハウジング２により区画されており、ハウジング２内には、原稿の内容を読取るための画像読取部３と、用紙を収容するための用紙収容部４と、用紙収容部４から送り出された用紙に対して原稿の内容に基づくトナー像を転写するための画像形成部５と、用紙に転写されたトナー像を定着させるための定着装置６と、定着装置６を通過した用紙に生じるカールを除去するためのデカール装置７とが備えられている。
【００１４】
ハウジング２の上面には、原稿を載置するためのコンタクトガラス８が備えられており、コンタクトガラス８の上方には自動原稿送り装置９が備えられている。また、図１には示されないが、ハウジング２の上面手前側には、所定の操作を行うための操作部が備えられている。
画像読取部３で読取られた画像情報は、レーザ走査ユニット１０に送られる。
【００１５】
用紙収容部４には、第１用紙カセット４１、第２用紙カセット４２、第３用紙カセット４３および第４用紙カセット４４が含まれ、それぞれの用紙カセットには、後述するように異なる種類の用紙が収容されている。
画像形成部５は、感光体ドラム５１と、感光体ドラム５１の周囲に配置されたメインチャージャ５２、現像装置５３とを備えている。そして、レーザ操作ユニット１０からのレーザ光が、矢印Ａで示すように、メインチャージャ５２と現像装置５３との間を通って、感光体ドラム５１の表面に入射するようにされている。
【００１６】
定着装置６は、用紙の搬送方向と直交方向に延びる熱ローラ６１と、熱ローラ６１と並列するようにしての熱ローラ６１の下方に配置される圧ローラ６２とを備えている。熱ローラ６１は、内部に図示しない温度制御機構を備えており、画像形成動作中は所定温度（たとえば、２００度）に保たれる。また、圧ローラ６２は、熱ローラ６１に対して所定の圧力を加えるようにして当接している。
【００１７】
デカール装置７は、用紙の搬送方向と直交方向に延びる軟質ローラ７１と、軟質ローラ７１と並列するようにして、軟質ローラ７１の下方に配置された硬質ローラ７２とを備えており、軟質ローラ７１と硬質ローラ７２とは、所定のニップ圧を保って互いに当接している（詳しくは、後述する）。
複写機１において複写を行う場合には、まず、ユーザにより、読取るべき原稿がコンタクトガラス８にセットされ、または原稿トレイ９１にセットされる。そして、ユーザにより、図示しない操作部が操作されると、原稿内容の読取りが開始される。すなわち、コンタクトガラス８に原稿がセットされた場合は、原稿を固定した状態で原稿に画像読取部３の光源から光を照射する。また、原稿トレイ９１に原稿がセットされた場合は、原稿をコンタクトガラス８上を移動させつつ原稿に画像読取部３の光源から光を照射する。そして、原稿からの反射光が複数の反射鏡を介してＣＣＤイメージセンサに入射され、ＣＣＤイメージセンサにおいて原稿からの反射光が電気信号に変換され、その電気信号がレーザ走査ユニット１０に送られる。
【００１８】
また、用紙収容部４においては、第１用紙カセット４１、第２用紙カセット４２、第３用紙カセット４３および第４用紙カセット４４に収容された用紙のうち、いずれかの用紙が矢印Ｂの方向に送り出される。すなわち、第１用紙カセット４１に収容された用紙は、ピックアップローラ４１１および給紙ローラ４１２によって送り出され、第２用紙カセット４２に収容された用紙は、ピックアップローラ４２１および給紙ローラ４２２によって送り出され、第３用紙カセット４３に収容された用紙は、ピックアップローラ４３１および給紙ローラ４３２によって送り出され、第４用紙カセット４４に収容された用紙は、ピックアップローラ４４１および給紙ローラ４４２によって送り出される。
【００１９】
そして、用紙収容部４から送り出された用紙は、複数の搬送ローラ１１によって、レジストローラ１２まで搬送され、さらに、レジストローラ１２によって所定のタイミングで感光体ドラム５１へと導かれる。
また、画像形成部５においては、まず、一定速度で回転する感光体ドラム５１の表面が、メインチャージャ５２からの放電により一定電位に帯電される。そして、一定電位に帯電した感光体ドラム５１の表面に、レーザ走査ユニット１０から原稿内容に基づいたレーザ光が照射される。これにより、感光体ドラム５１の表面では、レーザ光に照射された部分の帯電電荷が除去され、画像に対応した静電潜像が形成される。そして、現像装置５３からトナーが供給されることで、感光体ドラム５１の表面の静電潜像はトナー像として現像される。
【００２０】
一方、レジストローラ１２により送り出される用紙は、感光体ドラム５１のトナー像に合わせて転写・搬送ベルト１３との間を通過され、トナー像が転写される。
トナー像が転写された用紙は、転写・搬送ベルト１３により定着装置６へと導かれる。定着装置６へと導かれた用紙は、熱ローラ６１と圧ローラとの間を通過される。これにより、用紙上のトナーが加熱および加圧されることで、用紙に転写されたトナー像が定着される。そして、定着処理により、たとえ用紙がカールしても、そのカールはデカール装置７によって除去された後、用紙は、ハウジング２の側面から突出するように設けられた排出トレイ１４に排出される。
【００２１】
ところで、用紙のカールの度合いは、用紙の種類によって異なる。たとえば、トレーシングペーパー、わら半紙、再生紙などは、普通紙に比べてカールの度合いが大きい。また、厚紙に比べて薄紙の方がカールしやすい。一方、デカール装置７は、軟質ローラ７１と硬質ローラ７２との間のニップ圧を用紙に加えることで用紙のカールを除去するものであるが、カールの度合いに応じた適切なニップ圧が用紙に加えられなければ、カールが十分に除去されなかったり、必要以上にニップ圧が加えられるために逆方向にカールが生じたりする。そのため、用紙に加えるニップ圧は、用紙に生じたカールの度合いに応じた適切なものでなければならない。そこで、この実施形態では、デカール装置７の軟質ローラ７１と硬質ローラ７２との間のニップ圧は、以下のように調整される。
【００２２】
図２は、デカール装置７の構成を示す斜視図であり、図３は、図２の矢印Ｃ方向にみたデカール装置７を概略的に示す正面図である。（なお、図２においては、矢印で示す方向を前方とする。）
デカール装置７は、軟質ローラ７１、硬質ローラ７２、一対の環状体７３およびクラッチローラ７４を備えている。
【００２３】
軟質ローラ７１は、前後方向に延びる略円柱状の軟質ローラ軸７１１と、軟質ローラ軸７１１の中央を前後方向に被覆するようにして軟質ローラ軸７１１と一体的に形成される軟ローラ部７１２とを備えている。軟ローラ部７１２は、たとえば、スポンジなどで構成され、弾性変形可能であり、正面視において略円形状とされている。軟質ローラ軸７１１および軟ローラ部７１２は、その軸心が同一となるように構成されている。
【００２４】
硬質ローラ７２は、前後方向に延びる略円柱状の硬質ローラ軸７２１と、硬質ローラ軸７２１の中央を前後方向に被服するようにして軟質ローラ軸７２１と一体的に形成される硬ローラ部７２２とを備えている。硬ローラ部７２２は、たとえば、鉄または樹脂などで構成される。また、硬質ローラ軸７２１の後端には、略円盤状のローラギア７２３が備えられている。硬質ローラ軸７２１、硬ローラ部７２２およびローラギア７２３は、その軸心が同一となるように構成されている。
【００２５】
また、軟ローラ部７１２の周面と、硬ローラ部７２２の周面とが係合しており、軟質ローラ７１および硬質ローラ７２は、軸心まわりに回動可能である。
環状体７３は、所定の厚みの環状の部材であり、前後方向に重なるように配置される一対の部材である。軟質ローラ軸７１１の前端および硬質ローラ軸７２１の前端は、前側の環状体７３の環状部分を挿通しており、軟質ローラ軸７１１の後端および硬質ローラ軸７２１の後端は、後側の環状体７３の環状部分を挿通している。すなわち、環状体７３は、軟質ローラ７１および硬質ローラ７２の両端を軸方向と交差方向に囲んでいる。また、環状体７３は、正面視において、外周が中心からの距離が角度位置によって変化しない略円形状であり、内周が中心からの角度位置によって変化する形状とされており、その軸心が硬質ローラ７２の軸心と同一になるようにされている。そして、環状体７３は、軸心まわりに回動可能である。
【００２６】
詳しくは、環状体７３は、その内周面が、中心からの距離がｌ1の第１内周面７３１、中心からの距離がｌ2の第２内周面７３２、中心からの距離がｌ3の第３内周面７３３および中心からの距離がｌ4の第４内周面７３４で構成され、その外周面が、円周面７３５で構成されている。ただし、ｌ1＞ｌ2＞ｌ3＞ｌ4である（図３参照）。また、各内周面は、それぞれ中心からの距離が異なる（径の異なる）円周面の一部の形状とされている。  クラッチローラ７４は、前後方向に延びるクラッチローラ軸７４１と、クラッチローラ軸７４１の前端に備えられた前環状体用ギア７４２と、クラッチローラ軸７４１の後端に備えられた後環状体用ギア７４３と、後環状体用ギア７４３の後方に設けられたクラッチ７４４とを備えている。
【００２７】
前環状体用ギア７４２は、略円盤形状の部材とされ、その外周面が前方側の環状体７３の外周面７３５と係合しており、クラッチローラ軸７４１の前端に固定されている。また、後環状体用ギア７４３は、略円盤形状の部材とされ、その外周面が後方側の環状体７３の外周面７３５と係合しており、クラッチローラ軸７４１の後端に固定されている。そして、クラッチローラ軸７４１、前環状体用ギア７４２および後環状体用ギア７４３の軸心が同一になるようにされている。
【００２８】
クラッチ７４４は、前後方向に延びる略円柱形状のクラッチ部７４４ａと、クラッチ部７４４ａよりも径の大きな円盤形状のギア部７４４ｂとが、クラッチ部７４４ａを前方、ギア部７４４ｂを後方とし、軸心を同一として連続する形状とされている。
ギア部７４４ｂは、軸心まわりに回動可能であり、ギア部７４４ｂの厚みとほぼ同程度の厚みを有する円盤形状の部材である中間ギア７５の外周面（外周面の右側）と係合している。また、中間ギア７５は、軸心まわりに回動可能であり、ギア部７４４ｂと係合している側と反対側の中間ギア７５の外周面（中間ギア７５の外周面の左側）が、硬質ローラ７２のローラギア７２３の外周面に係合している。
【００２９】
クラッチ７４４のギア部７４４ｂは、モータ（図示せず）と接続されており、さらにモータは制御部（図示せず）に電気的に接続されている。また、ギア部７４４ｂは、クラッチ部７４４ａの内部において、後環状体用ギア７４３（クラッチローラ軸７４１）と接続し、またはその接続を解除することが可能とされている。クラッチ部７４４ａは、制御部に電気的に接続されており、制御部により、オン／オフの制御が行われる。クラッチ部７４４ａがオンされると、ギア部７４４ｂと後環状体用ギア７４３が接続され、クラッチ部７４４ａがオフされると、ギア部７４４ｂと後環状体用ギア７４３との接続状態が解除される。
【００３０】
すなわち、クラッチ部７４４ａがオフされた状態でギア部７４４ｂが回動させられると、ギア部７４４ｂのみが回動する。一方、クラッチ部７４４ａがオンされた状態でギア部７４４ｂが回動されると、その回動に伴って、後環状体用ギア７４３、クラッチローラ軸７４１および前環状体用ギア７４２が一体となって回動する。
以下、デカール装置７の動作態様を具体的に説明する。
【００３１】
用紙収容部４に収容されている用紙として、たとえば、第１カセット４１に収容されている用紙が普通紙であり、第２カセット４２に収容されている用紙が再生紙であり、第３カセット４３に収容されている用紙がわら半紙であり、第４カセットに収容されている用紙がトレーシングペーパーであるとする。
なお、一般的に、定着装置６を通過した後のカールの度合いの大きさとしては、トレーシングペーパーのカールが最も大きく、続いて、わら半紙のカール、再生紙のカール、普通紙のカールと、順々に小さくなる。
【００３２】
複写機１において、複写動作が開始され、第１カセット４１から用紙（普通紙）が送り出され、用紙が定着装置６を通過させられると、ギア部７４４ｂが矢印Ｄの方向に回転させられ、ギア部７４４ｂと係合している中間ギア７５が係合力（歯のかみ合い）により矢印Ｅの方向に回転する。同様に、部材間の係合力により、中間ギア７５が矢印Ｅの方向に回転すると、それに伴ってローラギア７２３が矢印Ｆの方向に回転させられ、硬質ローラ７２全体が矢印Ｆの方向に回転させられる。さらに、硬ローラ部７２２が矢印Ｆの方向に回転することで、それに係合している軟ローラ部７１２に矢印Ｇの方向に向かう回転力が付与され、軟質ローラ７２全体が矢印Ｇの方向に回転する。
【００３３】
このとき、クラッチ部７４４ａがオンされ、前環状体用ギア７４２、クラッチローラ軸７４１および後環状体用ギア７４３が一体となって矢印Ｄの方向に回転させられる。そして、前環状体用ギア７４２に係合している前側の環状体７３および後環状体用ギア７４３に係合している後側の環状体７３が矢印Ｈの方向に回転させられ、図３に示すように、軟質ローラ軸７１１の前端および後端が、各環状体７３の第１内周面７３１に当接するようにされた状態で、クラッチ部７４４ａがオフされ、環状体７３の回転が停止させられる。これにより、軟質ローラ７１が環状体７３の第１内周面７３１に押圧されることで、硬ローラ部７２２と係合する軟ローラ部７１２の部分が弾性変形し、軟ローラ部７１２が所定のニップ圧を保って硬ローラ部７２２と当接する。
【００３４】
そして、ギア部７４４ｂが、引き続き矢印Ｄの方向に回転させられることで、軟ローラ部７１２と硬ローラ部７２２との間のニップ圧を所定に保って軟質ローラ７１が矢印Ｇの方向に回転し、硬質ローラ７２が矢印Ｆの方向に回転する。これにより、デカール装置７に導かれた用紙は、軟質ローラ７１の軟ローラ部７１２と硬質ローラ７２の硬ローラ部７２２との間を、所定のニップ圧を加えられながら通過していき、定着装置６を通過することにより生じた用紙のカールがニップ圧により除去される。
【００３５】
また、第２カセット４２から、用紙（再生紙）が送り出された場合は、環状体７３の回転は、軟質ローラ軸７１１の前端および後端が、各環状体７３の第２内周面７３２に当接するようにされた状態で、クラッチ部７４４ａがオフされて停止させられる。これにより、軟質ローラ７１が環状体７３の第２内周面７３２に押圧されることで、硬ローラ部７２２と係合する軟ローラ部７１２の部分が上述の場合よりも大きく弾性変形して、軟ローラ部７１２がより大きなニップ圧を保って硬ローラ部７２２と当接する。なお、他の動作は上述と同様である。
【００３６】
同様に、第３カセット４３から、用紙（わら半紙）が送り出された場合は、環状体７３の回転は、軟質ローラ軸７１１の前端および後端が、各環状体７３の第３内周面７３３に当接するようにされた状態で、クラッチ部７４４ａがオフされて停止させられる。また、第４カセット４４から、用紙（トレーシングペーパー）が送り出された場合は、環状体７３の回転は、軟質ローラ軸７１１の前端および後端が、各環状体７３の第４内周面７３４に当接するようにされた状態で、クラッチ部７４４ａがオフされて停止させられる。
【００３７】
これにより、軟ローラ部７１２および硬ローラ部７２２により用紙に加えられるニップ圧は、用紙収容部４から送り出される用紙が、トレーシングペーパーの場合が最も大きく、続いて、わら半紙、再生紙、普通紙の場合には、順々に小さくなる。すなわち、カールの度合いの大きい用紙に対しては、大きいニップ圧が加えられ、カールの度合いが小さい用紙には、比較的小さいニップ圧が加えられる。なお、用紙収容部４から送り出される用紙の種類の選択は、複写機１における複写動作に応じて自動的に選択されるものであってもよいし、操作部（図示せず）における操作(入力)により、複写動作のたびに所望の用紙が手動で選択されるものであってもよい。
【００３８】
以上のように、この実施形態では、用紙の種類に応じて、軟ローラ部７１２と硬ローラ部７２２との間のニップ圧が変化させられるので、適切に用紙の生じたカールを除去することができる。
また、環状体７３の内周面は中心からの角度位置によって変化する形状であり、軟質ローラ軸７１１の前端および後端は環状体７３の内周に当接しているため、環状体７３を回転させることで用紙に加えるニップ圧を容易に変化させることができる。
【００３９】
また、一対の環状体７３の外周面７３５はともに円周状とされているため、ぞれぞれの外周面７３５と係合する前環状体用ギア７４２および後環状体用ギア７４３を回動させることで、容易に一対の環状体７３を回動させることができる。
また、操作部に入力された用紙の種類に応じて、環状体３７を予め定められた位置に回転することもできるので、用紙の種類に応じたカールの除去をより適切に行える。
【００４０】
この発明は、以上説明した実施形態に限定されるものではなく、請求項記載の範囲内において種々の変更が可能である。
たとえば、環状体７３の内周面の形状は、切り替えるべきニップ圧に基づいて形成され、回転されることにより、軟質ローラ７１と硬質ローラ７２との間のニップ圧を切り替えることのできるものであればよく、上述のものに限られない。
【００４１】
また、複写機１において、使用される用紙の種類も上述のものに限られず、種々の変更が可能である。
【図面の簡単な説明】
【００４２】
【図１】この発明の一実施形態にかかるデカール装置が備えられた複写機の構成を概略的に示す断面図である。
【図２】デカール装置の構成を示す斜視図である。
【図３】図２の矢印Ｃ方向にみたデカール装置を概略的に示す正面図である。
【符号の説明】
【００４３】
６      定着装置
７      デカール装置
７１    軟質ローラ
７２    硬質ローラ
７３    環状体
７４    クラッチローラ
７１１  軟質ローラ軸
７１２  軟ローラ部
７２１  硬質ローラ軸
７２２  硬ローラ部
７３１  第１内周面
７３２  第２内周面
７３３  第３内周面
７３４  第４内周面
７３５  円周面
７４２  前環状体用ギア
７４３  後環状体用ギア
【図１】
2006036489.tif 000003
【図２】
2006036489.tif 000004
【図３】
2006036489.tif 000005